(57)【要約】【課題】狭小スペースであっても容易に設置することができる蓄電装置を提供する。【解決手段】蓄電装置（１）は、蓄電池（１２）と、蓄電池（１２）を収容し、互いに対向する正面壁部（１１３Ａ）及び背面壁部（１１３Ｂ）を含むケース（１１）と、ケース（１１）の正面壁部（１１３Ａ）に設けられ、蓄電池（１２）と電気的に接続される、少なくとも１つの端子（１６，１７，１８）と、ケース（１１）の背面壁部（１１３Ｂ）に設けられるファン（１３）と、を備える。【選択図】図２
2015149226.tif 000002
【特許請求の範囲】
【請求項１】
蓄電池と、
前記蓄電池を収容し、互いに対向する正面壁部及び背面壁部を含むケースと、
前記ケースの正面壁部に設けられ、前記蓄電池と電気的に接続される、少なくとも１つの端子と、
前記ケースの背面壁部に設けられるファンと、
を備える、蓄電装置。
【請求項２】
請求項１に記載の蓄電装置であって、
前記少なくとも１つの端子は、
前記蓄電池に電力を入力するための入力端子と、
前記蓄電池から電力を出力するための出力端子と、
を含む、蓄電装置。
【請求項３】
請求項２に記載の蓄電装置であって、
前記入力端子及び前記出力端子は、前記正面壁部において、前記ケースの長手方向の一方端部に配置される、蓄電装置。
【請求項４】
請求項３に記載の蓄電装置であって、
前記ファンは、前記背面壁部において、前記ケースの長手方向の他方端部に配置される、蓄電装置。
【請求項５】
請求項２から４のいずれか１項に記載の蓄電装置であって、さらに、
前記入力端子に入力された交流電力を直流電力に変換して前記蓄電池に入力し、前記蓄電池から出力された直流電力を交流電力に変換して前記出力端子に出力する変換部と、
前記ファンと対向するよう、前記ケースの正面壁部に設けられるフィルタと、
を備え、
前記変換部は、前記ケース内において、前記フィルタと前記ファンとの間に配置される、蓄電装置。
【請求項６】
請求項５に記載の蓄電装置であって、
前記フィルタは、前記ケースに着脱可能に取り付けられる、蓄電装置。
【請求項７】
請求項１から６のいずれか１項に記載の蓄電装置であって、さらに、
前記ケースの正面壁部において、当該蓄電装置の操作を行うための操作部、
を備える、蓄電装置。
【請求項８】
請求項１から７のいずれか１項に記載の蓄電装置であって、
前記少なくとも１つの端子は、
当該蓄電装置のメンテナンスに利用可能な制御端子、
を含む、蓄電装置。
【発明の詳細な説明】
【技術分野】
【０００１】
本発明は、蓄電装置に関する。
【背景技術】
【０００２】
従来、蓄電池を利用し、機器等の負荷に対して電源を安定供給する蓄電装置が知られている。例えば、特許文献１には、負荷に対して交流電力を供給する交流電源に異常が発生した場合に、蓄電池から負荷に電力を供給し、負荷に対する電力供給を維持する蓄電装置（無停電電源装置）が開示されている。
【先行技術文献】
【特許文献】
【０００３】
【特許文献１】特開２０１１−４５１５３号公報
【発明の概要】
【発明が解決しようとする課題】
【０００４】
ところで、上記のような蓄電装置を設置する際、蓄電装置に設けられた端子と負荷及び交流電源とを電力線で接続する等の作業を行う必要がある。しかしながら、蓄電装置の設置スペースが狭小である場合、設置作業が困難であるという問題があった。
【０００５】
そこで、本発明は、狭小スペースであっても容易に設置することができる蓄電装置を提供することを課題とする。
【課題を解決するための手段】
【０００６】
本発明に係る蓄電装置は、蓄電池と、蓄電池を収容し、互いに対向する正面壁部及び背面壁部を含むケースと、ケースの正面壁部に設けられ、蓄電池と電気的に接続される、少なくとも１つの端子と、ケースの背面壁部に設けられるファンと、を備える。
【０００７】
上記蓄電装置では、蓄電池に電気的に接続される少なくとも１つの端子がケースの正面壁部に設けられている。このため、設置される蓄電装置の側面又は背面に建物の壁面や家具等が近接する場合も、端子に対して電力線を容易に接続することができる。すなわち、上記蓄電装置は、狭小スペースであっても容易に設置することができる。
【０００８】
上記蓄電装置において、少なくとも１つの端子は、蓄電池に電力を入力するための入力端子と、蓄電池から電力を出力するための出力端子と、を含んでいてもよい。この構成によれば、入力端子及び出力端子の双方がケースの正面壁部に設けられているため、狭小スペースにおける蓄電池の設置をより容易に行うことができる。
【０００９】
上記入力端子及び出力端子は、正面壁部において、ケースの長手方向の一方端部に配置されていてもよい。この構成によれば、入力端子及び出力端子に電力線を接続する際、ケースの正面壁部の端部まで電力線を延ばせばよいため、電力線が正面壁部上を横断するのを防止することができる。
【００１０】
上記ファンは、背面壁部において、ケースの長手方向の他方端部に配置されていてもよい。すなわち、ケースの長手方向において、入力端子及び出力端子と反対側の端部にファンを配置することができる。この構成によれば、ケース内において、ファンの近傍に配置することが好ましい部品群と、入力端子及び出力端子の近傍に配置することが好ましい部品群とを離して配置することができる。
【００１１】
上記蓄電装置は、さらに、入力端子に入力された交流電力を直流電力に変換して蓄電池に入力し、蓄電池から出力された直流電力を交流電力に変換して出力端子に出力する変換部と、ファンと対向するよう、ケースの正面壁部に設けられるフィルタと、を備えていてもよい。この場合、変換部は、ケース内において、フィルタとファンとの間に配置されることが好ましい。この構成によれば、ケース内への汚染物質の侵入をフィルタによって排除しつつ、ファンによって効率的に変換部を冷却することができる。
【００１２】
上記フィルタは、ケースに着脱可能に取り付けられていてもよい。この構成によれば、必要に応じてフィルタを交換することができる。
【００１３】
上記蓄電装置は、さらに、ケースの正面壁部において、当該蓄電装置の操作を行うための操作部を備えていてもよい。この構成によれば、蓄電装置が狭小スペースに設置されている場合であっても、ケースの正面壁部の操作部を使用して、蓄電装置の操作を容易に行うことができる。
【００１４】
上記少なくとも１つの端子は、さらに、当該蓄電装置のメンテナンスに利用可能な制御端子、を含んでいてもよい。この構成によれば、蓄電装置が狭小スペースに設置されている場合であっても、ケースの正面壁部の制御端子を使用して、蓄電装置のメンテナンスを容易に行うことができる。
【発明の効果】
【００１５】
本発明によれば、狭小スペースであっても蓄電装置を容易に設置することができる。
【図面の簡単な説明】
【００１６】
【図１】図１は、本発明の一実施形態に係る蓄電装置を含む蓄電システムの構成例を示す機能ブロック図である。
【図２】図２は、本発明の一実施形態に係る蓄電装置の概略構成を示す正面側斜視図である。
【図３】図３は、図２に示す蓄電装置の背面側斜視図である。
【図４】図４は、図２に示す蓄電装置の内部の概略構成を示す平面図である。
【図５】図５は、図２に示す蓄電装置の設置状態を示す斜視図である。
【発明を実施するための形態】
【００１７】
以下、本発明の実施の形態について図面を参照しつつ説明する。なお、同一又は相当する構成については、同一符号を付し、同じ説明を繰り返さない。
【００１８】
［蓄電システムの構成例］
まず、本実施形態に係る蓄電装置が含まれる蓄電システムの一例について説明する。
【００１９】
図１の例では、蓄電システム１０は、住宅２０内に設けられ、ネットワークＮを介して管理サーバ３０に接続されている。特に限定されるものではないが、蓄電システム１０は、例えば、ＨＥＭＳ（ＨＯＭＥ  ＥＮＥＲＧＹ  ＭＡＮＡＧＥＭＥＮＴ  ＳＹＳＴＥＭ）であり、この場合、管理サーバ３０は、ＨＥＭＳの運用を管理するＨＥＭＳ管理サーバである。
【００２０】
図１に示すように、蓄電システム１０は、蓄電装置１と、分電盤２と、管理装置３と、ルータ４と、を備えている。
【００２１】
蓄電装置１は、分電盤２と接続される。また、蓄電装置１は、複数のコンセントｃ１を介して、住宅２０内の機器Ａ〜Ｄと接続される。図１に示す例では、蓄電装置１は、機器Ｅとは接続されていない。機器Ａ〜Ｅは、蓄電システム１０における負荷であり、例えば、照明、冷蔵庫、テレビ、又はエアコン等の電力を消費する機器である。
【００２２】
蓄電装置１には、分電盤２を介して、商用電源である交流電源から電力が入力される。蓄電装置１は、複数のコンセントｃ１に対して電力を出力する。蓄電装置１と複数のコンセントｃ１との間には、漏電ブレーカが設けられていてもよい。各コンセントｃ１は、重要負荷コンセントとすることができる。重要負荷コンセントとは、交流電源から供給される電力に異常が生じた場合も電力の安定供給が要求される負荷が接続されるコンセントである。
【００２３】
蓄電装置１は、ルータ４及びネットワークＮを介して、蓄電装置１の保守を行うための保守サーバ（図示略）と通信可能に構成されていてもよい。
【００２４】
分電盤２は、交流電源に接続されている。分電盤２は、複数のコンセントｃ１を介して機器Ａ〜Ｄと接続される。分電盤２は、コンセントｃ２を介して機器Ｅとも接続される。分電盤２は、交流電源から電力を受信して蓄電装置１及び機器Ａ〜Ｅに分配する。
【００２５】
蓄電装置１と機器Ａ〜Ｄとを接続する経路と、分電盤２と機器Ａ〜Ｄとを接続する経路とは、スイッチｓ１によって切り替えられる。すなわち、機器Ａ〜Ｄは、蓄電装置１又は分電盤２から電力が供給される。具体的には、スイッチｓ１の切り替えにより、分電盤２と機器Ａ〜Ｄとが接続される場合、蓄電装置１と機器Ａ〜Ｄとの接続が遮断される。また、スイッチｓ１の切り替えにより、蓄電装置１と機器Ａ〜Ｄとが接続される場合、分電盤２と機器Ａ〜Ｄとの接続が遮断される。
【００２６】
管理装置３は、蓄電装置１及び機器Ａ〜Ｅの動作を制御することによって、住宅２０における消費電力等を制御する。例えば、管理装置３は、蓄電装置１及び機器Ａ〜Ｅの動作の制御を行うに際し、蓄電装置１及び機器Ａ〜Ｅに供給される電力量のデータを収集する。この場合、管理装置３は、分電盤２が備える電力センサ（図示略）で計測された電力量のデータを分電盤２から受信するよう構成されていてもよい。管理装置３は、ルータ４及びネットワークＮを介して、電力量等の各種データを管理サーバ３０に送信する。
【００２７】
管理装置３は、後述する蓄電池１２（図４）の状態を示すデータを蓄電装置１から受信し、蓄電池１２の異常の有無を監視するよう構成されていてもよい。蓄電池１２の状態とは、例えば、蓄電池１２の温度、電流、電圧、及び残容量等である。管理装置３は、蓄電池１２の異常を検知した場合、ルータ４及びネットワークＮを介し、蓄電池１２の異常を示すデータを管理サーバ３０に送信する。
【００２８】
［蓄電装置の構成］
次に、本実施形態に係る蓄電装置１の構成について、詳細に説明する。
【００２９】
図２から図４に示すように、蓄電装置１は、ケース１１と、蓄電池１２と、ファン１３と、フィルタ１４と、変換部１５と、を備えている。また、蓄電装置１は、入力端子１６と、出力端子１７と、制御端子１８と、を備えている。なお、説明の便宜上、以下では、図２における左右方向を幅方向、図２における上下方向を高さ方向、幅方向及び高さ方向に垂直な方向を奥行方向と称する場合がある。
【００３０】
図２から図４に示すように、ケース１１は、矩形状に形成されている。より詳細には、ケース１１は、上部１１１及び底部１１２と、上部１１１の周縁部と底部１１２の周縁部とを全周に亘って接続する周壁部１１３と、を有している。周壁部１１３は、正面壁部１１３Ａと、正面壁部１１３Ａと対向する背面壁部１１３Ｂと、正面壁部１１３Ａ及び背面壁部１１３Ｂとを接続し、互いに対向する側壁部１１３Ｃ，１１３Ｄと、を含む。
【００３１】
図２に示すように、正面壁部１１３Ａには、少なくとも１つの端子が設けられる。本実施形態では、入力端子１６、出力端子１７、及び制御端子１８が正面壁部１１３Ａに設けられている。正面壁部１１３Ａには、操作部１１４及び通信ポート１１５も設けられている。入力端子１６、出力端子１７、制御端子１８、操作部１１４、及び通信ポート１１５は、正面壁部１１３Ａの外表面に配置されている。
【００３２】
入力端子１６は、ケース１１の幅方向（長手方向）の端部Ｅ１において、正面壁部１１３Ａの外表面に配置されている。入力端子１６は、蓄電池１２に対して電力を入力するための端子であり、蓄電池１２と電気的に接続されている。蓄電装置１を蓄電システム１０（図１）に組み込むに際し、入力端子１６には、分電盤２（図１）から延びる電力線（図示略）が接続される。これにより、入力端子１６を介して、分電盤２からの電力を蓄電池１２に入力することが可能となる。
【００３３】
出力端子１７は、ケース１１の幅方向の端部Ｅ１において、正面壁部１１３Ａの外表面に配置されている。入力端子１６及び出力端子１７は、正面壁部１１３Ａにおいて、高さ方向に沿って並んでいる。出力端子１７は、蓄電池１２から電力を出力するための端子であり、蓄電池１２と電気的に接続されている。蓄電装置１を蓄電システム１０に組み込むに際し、出力端子１７には、各コンセントｃ１（図１）から延びる電力線（図示略）が接続される。これにより、各コンセントｃ１を介して、出力端子１７から出力された蓄電池１２の電力を機器Ａ〜Ｄに供給することが可能となる。
【００３４】
制御端子１８は、ケース１１の幅方向の中央部において、正面壁部１１３Ａの外表面に配置されている。制御端子１８は、蓄電池１２に電気的に接続されている。制御端子１８は、特に、蓄電装置１のメンテナンスを行う際に利用される。
【００３５】
操作部１１４は、ケース１１の幅方向の中央部において、正面壁部１１３Ａの外表面に配置されている。より詳細には、操作部１１４は、正面壁部１１３Ａにおいて、制御端子１８の隣に設けられ、幅方向の中心よりも端部Ｅ２寄りに位置している。操作部１１４は、蓄電装置１の操作を行うためのものであり、例えば、蓄電装置１のＯＮ／ＯＦＦを切り替えるための電源ボタンや、蓄電池１２の残量を表示するための残量スイッチ、又は各種表示ランプ等を含む。
【００３６】
通信ポート１１５は、正面壁部１１３Ａの外表面において、入力端子１６及び出力端子１７と制御端子１８との間に配置されている。蓄電装置１を蓄電システム１０に組み込むに際し、通信ポート１１５には、ルータ４（図１）から延びるＬＡＮケーブル等の通信線（図示略）が接続される。
【００３７】
ケース１１の幅方向の端部Ｅ２において、正面壁部１１３Ａには、複数の吸込孔１１６が形成されている。複数の吸込孔１１６は、後述のファン１３によってケース１１内に空気を吸い込むため、正面壁部１１３Ａに設けられた貫通孔である。吸込孔１１６からケース１１内に吸い込まれた空気は、後述のフィルタ１４を通過する。各吸込孔１１６の形状は、特に限定されるものではなく、略円形状、正方形状や長方形状、四角形以外の多角形状等、種々の形状とすることができる。吸込孔１１６の数及び大きさも適宜変更することができる。
【００３８】
図３に示すように、背面壁部１１３Ｂには、上述の各電力線（図示略）及び通信線（図示略）を通すための複数の貫通孔１１７が形成されている。図３の例では、各貫通孔１１７は、ケース１１の端部Ｅ１において、高さ方向に沿って並んでいる。ただし、各貫通孔１１７を設ける位置は、特に限定されるものではない。各貫通孔１１７は、背面壁部１１３Ｂの幅方向中央部に設けることもできるし、側壁部１１３Ｃに設けることもできる。なお、各電力線及び通信線を各貫通孔１１７に容易に通すことができるよう、ケース１１の周壁部１１３の少なくとも一部を取り外し可能に構成し、周壁部１１３の少なくとも一部を取り外したときに各貫通孔１１７の周縁部の一部が開放されるよう構成されていてもよい。
【００３９】
ケース１１の幅方向の端部Ｅ２において、背面壁部１１３Ｂには、複数の吐出孔１１８が形成されている。複数の吐出孔１１８は、後述のファン１３によってケース１１内の空気を吐き出すために背面壁部１１３Ｂに設けられた貫通孔である。ファン１３によって送られる空気は、各吐出孔１１８を通過する。吸込孔１１６と同様、各吐出孔１１８の形状、数、及び大きさも特に限定されるものではない。
【００４０】
図４に示すように、ケース１１には、蓄電池１２が収容されている。蓄電池１２は、繰り返し充放電可能な二次電池であり、例えば、リチウムイオン電池とすることができる。蓄電池１２は、ケース１１内において端部Ｅ１側に配置されている。蓄電池１２は、入力端子１６、出力端子１７、及び制御端子１８と電気的に接続されている。
【００４１】
ファン１３は、ケース１１の背面壁部１１３Ｂに設けられている。より詳細には、ファン１３は、ケース１１の端部Ｅ２において、背面壁部１１３Ｂの内表面に配置されている。ファン１３は、ファンカバーによって少なくとも正面（正面壁部１１３Ａ側の面）を覆われた状態で背面壁部１１３Ｂに設けられる。ファン１３は、各吸込孔１１６（図２）からケース１１内に空気を吸い込み、各吐出孔１１８（図３）からケース１１内の空気を吐き出す。つまり、ファン１３は、ケース１１内において、フィルタ１４側からファン１３側への空気の流れを発生させる。
【００４２】
フィルタ１４は、ファン１３によってケース１１内に吸い込まれる空気から埃や油等の汚染物質を取り除く機能を有する。すなわち、フィルタ１４を介してケース１１内に空気が取り込まれることにより、ケース１１内への汚染物質の侵入が抑制される。フィルタ１４は、ファン１３と対向するよう、ケース１１の正面壁部１１３Ａに設けられている。より詳細には、フィルタ１４は、ケース１１の端部Ｅ２において、正面壁部１１３Ａの内表面に配置されている。フィルタ１４は、好ましくは、フィルタカバーによって少なくとも背面（背面壁部１１３Ｂ側の面）が覆われる。
【００４３】
フィルタ１４は、ケース１１に対して着脱可能に取り付けられる。例えば、正面壁部１１３Ａの一部とフィルタ１４とを一緒に取り外すことができるようにしてもよいし、正面壁部１１３Ａの一部を開閉可能に形成しておき、正面壁部１１３Ａの一部を開いてフィルタ１４を取り外すことができるようにしてもよい。
【００４４】
変換部１５は、ケース１１に収容されている。変換部１５は、入力端子１６に入力された交流電力を直流電力に変換して蓄電池１２に入力し、蓄電池１２から出力された直流電力を交流電力に変換して出力端子１７に出力する。変換部１５は、例えば、インバータ１５１と、インバータ１５１を制御するインバータ回路（図示略）と、を有する。インバータ１５１は、分電盤２（図１）から入力端子１６を介して供給される交流電力を蓄電池１２の電圧に応じた直流電力に変換し、この直流電流を蓄電池１２に入力する。これにより、蓄電池１２が充電される。また、インバータ１５１は、蓄電池１２から放電された直流電力を所定電圧の交流電力に変換し、出力端子１７に出力する。この交流電力は出力端子１７から各コンセントｃ１（図１）を介して機器Ａ〜Ｄ（図１）に供給される。
【００４５】
変換部１５は、交流電力と直流電力との変換に際して放熱するため、冷却されることが好ましい。本実施形態では、変換部１５は、ケース１１内において、ファン１３とフィルタ１４との間に配置されている。上述の通り、ファン１３がフィルタ１４側からファン１３側への空気の流れを発生させるため、このような配置によれば、変換部１５が効率的に冷却される。
【００４６】
［蓄電装置の設置方法］
次に、上述のように構成された蓄電装置１を設置する方法の一例について説明する。
【００４７】
蓄電装置１は、例えば、住宅２０におけるデッドスペースに設置される。本実施形態では、冷蔵庫Ｒの上方のスペースに蓄電装置１を設置する場合について説明する。まず、図５に示すように、蓄電装置１を載置可能な棚Ｓを冷蔵庫Ｒの上方のスペースに設ける。図５の例では、棚Ｓは住宅２０（図１）の天井から吊り下げられている。この棚Ｓの上に、ケース１１の正面壁部１１３Ａが設置作業者から見えるようにして、蓄電装置１を載置する。
【００４８】
次に、分電盤２に接続された電力線（図示略）を背面壁部１１３Ｂの貫通孔１１７（図３）の１つに通し、正面壁部１１３Ａまで延ばして入力端子１６に接続する。また、各コンセントｃ１に接続された電力線（図示略）を別の貫通孔１１７に通し、正面壁部１１３Ａまで延ばして出力端子１７に接続する。さらに、通信線（図示略）を別の貫通孔１１７に通し、正面壁部１１３Ａまで延ばして通信ポート１１５に接続する。各電力線及び通信線は、通常、冷蔵庫Ｒの後方の壁面から延びている。各電力線及び通信線を蓄電装置１に接続する順序は、特に限定されるものではない。また、各電力線及び通信線は、複数の貫通孔１１７のうち、どの貫通孔１１７に通してもよい。
【００４９】
これにより、蓄電装置１が冷蔵庫Ｒの上方のスペースに設置される。すなわち、蓄電池１が、住宅２０内の蓄電システム１０（図１）に組み込まれる。
【００５０】
以上のように、本実施形態に係る蓄電装置１は、入力端子１６及び出力端子１７がケース１１の正面壁部１１３Ａに設けられている。すなわち、入力端子１６及び出力端子１７は、ケース１１において、設置作業者に最も近い面上に設けられている。このため、蓄電装置１を冷蔵庫Ｒの上などの狭小スペースに設置する場合であっても、入力端子１６及び出力端子１７に電力線（図示略）を容易に接続することができる。よって、蓄電装置１は、狭小スペースであっても容易に設置することができる。
【００５１】
なお、一般的に家庭で使用される冷蔵庫は、身長がそれ程高くない人でも最上段の庫内から、食料品等を出し入れし易いように、高さが制限されているものが多い。この結果、冷蔵庫の上部は活用されてない空間（デッドスペース）になり易い。上述したように冷蔵庫Ｒの上部に棚Ｓを設け、蓄電装置１を配置することにより、家庭内の空間をより有効に利用することができる。また、停電等が発生した場合等を考えると、食料品が保管してある冷蔵庫Ｒの近くに蓄電装置１を設置し、停電時に冷蔵庫Ｒへ電力を供給することは、非常時に備えた有意義な方法と言える。本蓄電装置１は入力端子１６及び出力端子１７が蓄電装置１の前面に設けられているため、上記冷蔵庫Ｒの上に棚Ｓを吊って蓄電装置１を配置する場合の配線工事を容易に行うことができる。
【００５２】
本実施形態では、通信ポート１１５もケース１１の正面壁部１１３Ａに設けられている。このため、通信ポート１１５に対する通信線（図示略）の接続も容易に行うことができる。
【００５３】
本実施形態では、入力端子１６及び出力端子１７は、ケース１１の長手方向の一方端部Ｅ１において、正面壁部１１３Ａに配置されている。このため、入力端子１６及び出力端子１７に電力線（図示略）を接続した際、電力線が正面壁部１１３Ａ上を横断するのを防止することができる。
【００５４】
本実施形態では、ファン１３は、ケース１１の長手方向の他方端部Ｅ２において、背面壁部１１３Ｂに配置されている。つまり、ファン１３は、ケース１１の長手方向において、入力端子１６及び出力端子１７と反対側の端部に設けられている。このため、ケース１１内において、ファン１３によって冷却される変換部１５と、入力端子１６及び出力端子１７に接続される蓄電池１２とを離して配置することができる。その結果、変換部１５からの放熱が蓄電池１２に影響を与えるのを抑制することができる。
【００５５】
本実施形態において、変換部１５は、ケース１１内において、ファン１３とフィルタ１４との間に配置されている。このため、ケース１１内への汚染物質の侵入をフィルタ１４によって排除しつつ、ファン１３によって効率的に変換部１５を冷却することができる。
【００５６】
本実施形態において、フィルタ１４は、ケース１１に着脱可能に取り付けられている。このため、例えば住宅２０の住人等であるユーザは、必要に応じてフィルタ１４を交換することができる。
【００５７】
本実施形態において、蓄電装置１の操作を行うための操作部１１４は、ケース１１の正面壁部１１３Ａに設けられている。このため、蓄電装置１が狭小スペースに設置されている場合であっても、ユーザ等は、操作部１１４を使用し、蓄電装置１の操作を容易に行うことができる。
【００５８】
本実施形態において、蓄電装置１のメンテナンスに利用可能な制御端子１８は、ケース１１の正面壁部１１３Ａに設けられている。このため、蓄電装置１が狭小スペースに設置されている場合であっても、メンテナンスの作業者は、制御端子１８を利用し、蓄電装置１のメンテナンスを容易に行うことができる。
【００５９】
以上、本発明の各実施形態について説明したが、本発明は上記各実施形態に限定されるものではなく、その趣旨を逸脱しない限りにおいて、種々の変更が可能である。
【００６０】
例えば、上記実施形態では、入力端子１６及び出力端子１７は、ケース１１の長手方向の一方端部Ｅ１に配置されていたが、正面壁部における入力端子及び出力端子の位置は特に限定されるものではない。例えば、入力端子及び出力端子は、正面壁部において、ケースの長手方向の他方端部に配置されていてもよいし、ケースの長手方向中央部に配置されていてもよい。同様に、正面壁部における制御端子の位置も特に限定されるものではない。なお、蓄電装置には、制御端子が設けられていなくてもよい。
【００６１】
上記実施形態では、入力端子１６及び出力端子１７は、正面壁部１１３Ａにおいて、高さ方向に沿って並んでいたが、特にこれに限定されない。例えば、入力端子及び出力端子が幅方向に並んでいてもよいし、入力端子の斜め上又は斜め下に出力端子が配置される等、入力端子及び出力端子の幅方向及び高さ方向の位置が異なっていてもよい。
【００６２】
上記実施形態では、ケース１１は、矩形状に形成されていたが、ケース１１の形状は特に限定されるものではない。すなわち、ケースにおける正面壁部及び背面壁部の形状は特に限定されない。また、正面壁部及び背面壁部は同一形状でなくてもよいし、正面壁部と背面壁部が平行に配置されていなくてもよい。
【００６３】
正面壁部には、入力端子１６、出力端子１７、及び制御端子１８を覆うカバーを設けることもできる。
【００６４】
上記実施形態では、ファン１３は、ケース１１の背面壁部１１３Ｂにおいて、長手方向の端部Ｅ２に配置されていたが、背面壁部においてファンが配置される位置は特に限定されるものではない。ファンの位置は、例えばケース内の変換部の位置に合わせて、適宜変更することができる。同様に、ケースの正面壁部におけるフィルタの位置も特に限定されるものではない。
【００６５】
上記実施形態では、通信ポート１１５は、ケース１１の正面壁部１１３Ａに設けられていたが、ケースにおいて通信ポートを設ける位置は特に限定されるものではない。なお、蓄電装置が外部との通信を行わない場合、ケースに通信ポートを設ける必要はない。
【符号の説明】
【００６６】
１：蓄電装置、１１：ケース、１１３Ａ：正面壁部、１１３Ｂ：背面壁部、１２：蓄電池、１３：ファン、１４：フィルタ、１５：変換部、１６：入力端子、１７：出力端子、１８：制御端子
【図１】
2015149226.tif 000003
【図２】
2015149226.tif 000004
【図３】
2015149226.tif 000005
【図４】
2015149226.tif 000006
【図５】
2015149226.tif 000007